(57)【要約】      （修正有）【課題】ビルの建設現場等において、落下物による死傷事故を抑止し、また、電車のホームからの転落による死傷事故を抑止する落下物の検知センサーを提供する。【解決の手段】１本の透明パイプ５と１個のコイル状引っ張りばね２と２本のリード線つきマグネットスイッチ３とそれを作動させるためのマグネット４からなり、片側が固定された引っ張りばねにおいて、もう一方の先端に固定されるリード線つきマグネットスイッチが引っ張られることによりパイプの外側に固定されているマグネットに近づくと、リード線つきマグネットスイッチが働く構造の落下物検知センサーであって、さらに２本のリード線にコネクターで複数の電線を接続していき、ループ状になった電線にネット２を取り付けて広いエリヤで落下物を受け止める構造としたことを特徴とする。【選択図】図１
0003193739.tif 000002
【実用新案登録請求の範囲】
【請求項１】
コントローラーとそれに接続された往復の電線からなり電線が引っ張られたり、切られるとコントローラーのスイッチがＯＮになり警報を発したり通報する仕組みの装置において、１個のばねで動作する仕組みにした構造の落下物検知センサー。
【請求項２】
請求項１において、広いエリヤを検知するためのネットを取り付けた構造の落下物検知センサー。
【請求項３】
請求項１において、装置を取り外されたときに警報が出る仕組みの落下物検知センサー。
【考案の詳細な説明】
【技術分野】
【産業上の利用分野】
【０００１】▲１▼建設現場で作業中、高所から材料や工具を誤って落とし、下で働く人や通行人に重大な怪我を負わせたり死に至らしめることがある。本装置は万が一、ものや人が落ちたとき電線や電線に取り付けたネットに引っかかると、警報回路が働らき、危険を知らせることができる。
▲２▼富士山等の山に登山中、上から落石や土砂崩れ等が発生し、下にいる人を危険に及ぼすことがある。本装置はそのような状況のとき、下にいる人に、いち早く危険を知らせ、事故を未然に防ぐために利用される。
▲３▼電車のホームでは盲人や、酔っ払いによる転落事故が時々発生している。本装置を電車や、ホーム下に取り付ければ転落を検知し、いち早く関係者に知らせ、電車にひかれる事故を未然に防ぐことができる。
【背景技術】
【０００２】従来より、落下物を検知する装置では超音波センサー、赤外線センサー、カメラセンサー等があるが、高価なものが多い。また落ち葉や温度変化のよる誤作動が多く、信頼性の問題もあった。また、消費電流が多いため、電池による動作が難しく、用途は限られていた。
【考案が解決しようとしている課題】
【０００３】本案は従来の技術の欠点を補い、小型で安価、電池駆動で設置も簡単な特徴を持っている。
本装置は実用新案登録番号：第  ３１６６９０９号の改良案である。
同案では引っ張りばねを２個使用し、外から電線を引っ張られると２本のパイプの中のどちらか、または両方のばねが伸び、マグネットリードスイッチがマグネットに近づくとスイッチがＯＦＦ、すなわち断線状態になり警報回路が働く仕組みであった。しかしながら、２本のパイプを使用した場合、反対側にＵターン滑車を設置したり、ワイヤの長さ調整等のため、設置方法が面倒なることがある。
【課題を解決するための手段】
【０００４】本案では１本のパイプにより動作可能とし、小型化、コストダウンでき、設置やメンテナンスを簡単にすることができるため、より広い分野で利用することができる。
図１、図２において、コントローラー（７）を設置、固定し、電線を反対側（１３）に固定し、その先をそれぞれ必要に応じて固定し、その間に、ネット（１２）を敷設する。図（ｂ）のごとく、電線に圧力が加わると電線が引っ張られリードスイッチがマグネットに近づくと常時閉のマグネットスイッチが開状態すなわち図（ｂ）のようになり、制御基盤から警報出力（８）が出て、警報器を作動させる仕組みである。
図３は装置が外れた場合の動作説明図である。
コントローラー（３０）の反対側に設置する装置が脱落したとき、常時閉じている状態のリミットスイッチが図（ｂ）のごとく開の状態になり、制御基盤から警報出力が出る仕組みである。
図４は電気的動作原理図である。コントローラーから常時、電線に微弱な電流が流れており、電線が引っ張られたり、断線することによる電流の変化を検知し、警報基板から警報出力が出る仕組みである。
図５は横方向に設置した場合の利用例である。ビル工事現場において、作業者が誤ってドリル（４７）やハンマー（４６）等の危険なものを落としたときや、人（４５）が転落したとき、ネットや電線が引っ張られ、マグネットリードスイッチ（４１）が働いて、警報を出す仕組みである。
図６は縦方向に設置した場合のイメージ図である。登山中や作業中に山の上方より落石や土砂崩れが発生したとき下方にいる人に危険を知らせることができる。
【考案の効果】
【０００５】本考案により、小型化し、コストダウンでき、メンテナンスが簡単になり、設置も楽にでき、どこにでも手軽に取り付けられることにより防災、防犯のいろいろな場所で使用することができる。
【実施例】
【０００６】図５はビルの建設現場の落下検知警報の設置イメージである。
設置手順は以下のとおりである。
▲１▼コントローラー（５０）と警報器（４９）を高所の適切な場所に固定する。
▲２▼コントローラーから出る電線を反対側の落下物が引っかかるような適切な場所に固定する。
▲３▼戻りの電線を落下物が引っかかるような適当な場所に固定する。
▲４▼軽くて丈夫なネット（４４）を落下物が引っかかるように電線に固定する。
▲５▼電線が短いときはコネクター（５１）のついた電線を接続して調整する。
▲６▼電線がたるむときは電線ホルダー（５２）で支持する。
▲７▼電線（４３）は複数本使用することができ、それぞれが直列につながるようにコネクター（５１）で接続する。
▲８▼コントローラー（５０）の電源スイッチをＯＮにすれば準備完了となる。
▲９▼電線が矢印の方向へ引っ張られる、切れる、コネクターがはずれる等により警報回路が働くか、確認をする。
【産業上の利用可能性】
【０００７】建設現場等ではブロックや工具、鉄板等の落下により、下にいる人が危険にさらされることがある。
登山中、落石により下にいる人に危害が加わることがある。
電車のホームでは酔っ払いや盲人の転落事故で運転手に気づかれず死傷事故が発生する。
特に、車両と車両のつなぎ目あたりでは酔っ払いがドアと間違えて転落し電車にひかれることが考えられる。
本考案はこのような事故を未然に防ぐものである。
【図面の簡単な説明】
【０００８】
【図１】  本考案の動作原理図である。
【図２】  本考案のネットを装着した図である。
【図３】  本考案の装置がはずされた場合の動作説明図である。
【図４】  本考案の電気的動作原理図である。
【図５】  本考案を横向きに設置した場合の利用イメージ図である。
【図６】  本考案をたてに設置した場合の利用イメージ図である。
【符号の説明】
【０００９】１，１４                                電池
２，２８，４０                          バネ
３，１５，３４，３７                    リードスイッチ
４，１６，４２                          マグネット
５，１７，２９                          パイプ
６，１８，２６，３１，４８              制御基盤
７，１０，１８，２５，３０、５０        コントローラー
８，２０                                警報出力線
９，２１                                電源入力線
１１，２３，４３                        電線
１２，２４，４４                        ネット
１３，３６，３９                        電線固定部
２７，３２，３３                        リミットスイッチ
３５，３８                              支柱
４５                                    人
４６                                    ハンマー
４７                                    ドリル
４９                                    警報器
５１                                    コネクター
５２                                    電線ホルダー
【図１】
0003193739.tif 000003
【図２】
0003193739.tif 000004
【図３】
0003193739.tif 000005
【図４】
0003193739.tif 000006
【図５】
0003193739.tif 000007
【図６】
0003193739.tif 000008
【手続補正書】
【提出日】平成26年7月16日(2014.7.16)
【手続補正１】
【補正対象書類名】実用新案登録請求の範囲
【補正対象項目名】全文
【補正方法】変更
【補正の内容】
【実用新案登録請求の範囲】
【請求項１】
１本の透明パイプと１個のコイル状引っ張りばねと２本のリード線つきマグネットスイッチとそれを作動させるためのマグネットからなり、片側が固定された引っ張りばねにおいて、もう一方の先端に固定されるリード線つきマグネットスイッチが引っ張られることによりパイプの外側に固定されているマグネットに近づくと、リード線つきマグネットスイッチが働く構造の落下物検知センサー。
【請求項２】
請求項１に記載の落下物検知センサーにおいて、２本のリード線にコネクターで複数の電線を接続していき、ループ状になった電線にネットを取り付けて広いエリヤで落下物を受け止める構造の落下物検知センサー。
【請求項３】
請求項２に記載の落下物検知センサーにおいて、固定される部分の電線にリミットスイッチを取り付け、固定部分が取り外されたときスイッチが働く構造の落下物検知センサー。